(57)【要約】【課題】表面に木目があり、木の感触が得られ、また薄くて強度を有し、そのため間仕切り本体への取り付けや取り外しが容易に行える間仕切りの枠を提供する。【解決手段】間仕切り本体４と係合する係合溝１３を有する内側をプラスチック粉末単体層１１にて成型し、その外側に木材の粉末をプラスチック粉末に混合して得た混合体層１２を積層して成型した２層構造の枠とした。【選択図】　　　　図２
2004143680.tif 000002
【特許請求の範囲】
【請求項１】
プラスチック粉末単体を内側に、木材の粉末をプラスチック粉末に混合して得た混合体を外側に積層して成型した２層構造であることを特徴とする間仕切りおよび建具の枠。
【請求項２】
前記枠が、断面コ字状であり、その両側辺より内側に突設した突出片が、間仕切り本体の端部に嵌合されたコの字型補強材の両側面に圧着し、さらに外側の突出片が、前記補強材の両側端に係合するようになっていることを特徴とする請求項１に記載の間仕切りおよび建具の枠。
【請求項３】
補強材の両側端に係合する少なくとも一方の外側の突出片が、最外側の突出片であることを特徴とする請求項２に記載の間仕切りおよび建具の枠。
【発明の詳細な説明】
【０００１】
【発明が属する技術分野】
本発明は、フスマ、パーティション等の間仕切りおよび建具の枠に関するもので、木質感を有し、反らない、ねじれない、また割れない強靭性があり、且つ間仕切り本体への装着や取り外しが容易な間仕切りおよび建具の枠に関するものである。
【０００２】
【従来の技術】
間仕切り本体の周囲には、上下枠および縦枠が設けられて間仕切りの補強および取付け溝への係合部となっている。
本来これらの枠材としては、木材が使用されていたが、反り、ねじれ、割れ、キズ付き易く安定した供給ができない等の欠点から、プラスチックが使用されるようになった。
【０００３】
プラスチック成型品は、形状のバリエーションが不足する。
近年は、内装材に木の感触を取り入れる傾向にあり、木の素材が好まれている。そこで、木を粉末にし、これをプラスチック粉末に混合した木質感のある枠が開発されている。木の粉末は、製材時に発生する木屑や建築廃材などを利用でき、材料の供給が安定で、かつ低価格で製作できる。そしてなによりも、木の粉末を混合することで、本木に劣らないほど木の感触が得られ、また木と同様にカンナ掛けなどの加工も可能である。
【０００４】
【発明が解決しようとする課題】
プラスチック粉末に木の粉末を混合したプラスチックは、強度が低下し、プラスチック単体の成型品と比べると、肉厚が必要であり、空間を設けない構成となり、重量増となる。また、作業性が悪化する。すなわち間仕切り本体への枠の取付け、あるいは係合溝との整合を出すための建付け調整において、取付けた枠を外して加工をする必要があるが、肉厚を有し、かつ強度の弱いプラスチック成型品は、間仕切り本体を挟むサイド部をめくり広げることが不可能であり、枠の脱着は長手方向にスライドさせて抜かねばならず、簡単に建付け調整ができない。
【０００５】
【課題を解決するための手段】
本発明間仕切りおよび建具の枠は、プラスチック粉末単体と木材の粉末をプラスチック粉末に混合して得た混合体を積層した２層成型の素材にて製作した。
これにより、表面に木質感が得られるとともに、素材の強度も肉厚にしなくても得られ、また、枠のサイド部を容易にめくり広げることができるので、間仕切り本体および建具への枠の脱着が容易であり、建付け調整が簡単に行える。
【０００６】
枠の構造としては、断面コ字状であり、その両側辺より内側に突設した突出片を、間仕切り本体の端部に嵌合されたコの字型補強材の両側面に圧着し、さらに外側の突出片を、前記補強材の両側端に係合させることで、枠の厚さを得ることができ、かつ枠が間仕切り本体および建具から外れるのを防止している。
【０００７】
【発明の実施の形態】
図１は、本発明の枠が用いられた間仕切り全体を示す図である。
間仕切りは、間仕切り本体４と、補強用にその外周に取り付けられた枠および引手５からなる。枠は、両側の縦枠１と上下枠２、３で構成されている。
間仕切り本体４は、軽量の複層ダンボールで構成された芯材４１上にアルミ箔４２を貼り、その上で化粧紙４３を貼り付けて形成されている。化粧紙４３の上から引手が嵌合されている。
【０００８】
図２は、図１におけるＡ−Ａ断面を示し、縦枠の構成を表す。
縦枠１は、プラスチック単体で成型したプラスチック層１１が内側に、そして木材の粉末をプラスチック粉末に混合して得た混合体が、外側に積層されて成型さてなる混合体層１２の２層構造となっている。
木材の粉末とプラスチックの粉末を混合した混合体層を、プラスチック層１１を積層して補強することで強度を増すことができる。
【０００９】
間仕切り本体４の縁には、コの字型の紙枠４４が嵌合し、さらにその外側を被う金属製のコの字型の補強材４５が取り付けられている。そしてさらにその外側に木材の粉末の混合体層１２を有する略断面コの字状の縦枠１が嵌合している。
【００１０】
縦枠１の両側面には、間仕切り本体４および補強材に圧着する複数の突出片１４が内側に突出して枠の厚さを作成しており、そのうちの２片が紙枠４４の両側端に係合し間仕切り本体４より外れないように取り付けられている。
また、補強材の両側端に係合する少なくとも一方の外側の突出片を、最外側の突出片としてある。
【００１１】
間仕切り本体４への取り付けは、枠１が薄い材料にて形成され、その上強度、たわみに優れているため、両サイドをめくり、補強材４５の横幅より容易に広げることができ、間仕切り本体４の側端に側面から嵌合させて取り付けることができる。取り外しも、両サイドあるいは片側のサイドをめくって側面方向に外すことができる。
なお、もちろん長手方向端部から間仕切り本体４の側端を差し込み脱着することもできる。
【００１２】
図３、図４は、図１におけるＢ−Ｂ、Ｃ−Ｃ断面で、上枠２、下枠３の構成を示す横断面図である。
図３において、上枠２は、縦枠１と同様に、突出片を有する係合溝が形成され、係合溝に間仕切り本体４を嵌合する。上枠２の上部には、鴨居等のレールの溝に支持される突出部２３が形成されている。
図４に示す下枠３も、上枠２と同様に、突出片を有する係合溝が設けられ、係合溝に間仕切り本体４を係合する。下枠３の下方には、敷居等のレールの溝に支持される突出部３３が形成されている。
各枠のコーナー部の結合は、図示しないコーナーピースを用いて行う。
【００１３】
【発明の効果】
このように本発明の枠の表面に、木材の粉末をプラスチックの粉末に混合した混合体層のみで成型したものと同様に木目が形成され、本木に劣らない木質感が得られる。そして目に触れない内側を、プラスチック単体で補強してあるから、薄い材料にても高い強度を有する枠を提供できる。
また、木材の粉末をプラスチックの粉末に混合することにより、反りの無い、ねじれが生ぜず、かつ割れない強靭性を有する枠となっている。
この枠を使用した高さ２４００ｍｍ、幅８５０ｍｍの本発明間仕切について、質量測定、曲げ、局部圧縮、反り及び耐湿試験を実施し、従来の高さ１８００ｍｍ、幅８５０ｍｍの標準フスマと対比したところ、本発明間仕切の４分の３の高さである標準フスマと同等あるいはそれ以上の測定値を得ることができた。そして全ての製品が都市基盤整備公団品質判定基準を上回った。
さらにまた、薄くて強度を有する素材としたことで、枠の両サイドを容易にめくって広げることができるので、建付け調整時に必要とされる枠の間仕切り本体から脱着する作業が簡単に行える。
【図面の簡単な説明】
【図１】本発明の枠が用いられた間仕切りを示す図である。
【図２】図１におけるＡ−Ａ断面で縦枠１の構成を示す横断面図である。
【図３】図１におけるＢ−Ｂ断面で、上枠２の構成を示す横断面図である。
【図４】図１におけるＣ−Ｃ断面で、下枠３の構成を示す横断面図である。
【符号の説明】
１　　縦枠
２　　上枠
３　　下枠
４　　間仕切り本体
１１、２１、３１　　混合体層
１２、２２、２３　　プラスチック層
１３　　係合溝
１４　　突出片
２３、３３　　突出部
４３　　化粧紙
４４　　紙枠
４５　　補強材
【図１】
2004143680.tif 000003
【図２】
2004143680.tif 000004
【図３】
2004143680.tif 000005
【図４】
2004143680.tif 000006